(57)【特許請求の範囲】
【請求項１】
一対の挟持部材を開閉自在に支点連結して挟持具を構成し、該挟持具の作用点とされる相対向する一対の鍔片を相互近接させ固定して、上記鍔片を波形屋根の頂部より突出したボルト体に、該ボルト体に螺着されたナットの上方で挟着させる構造とした屋根上取付具の取付構造であって、
上記屋根上取付具の鍔片と、上記波形屋根の頂部との間に、上記ボルト体が上方に貫通する構造としたスペーサー部材が介装され、上記屋根上取付具が該スペーサー部材の上面に載置されて取り付けられる構成とされ、
上記ナットと上記波形屋根の頂部との間には座金が介装されており、
上記スペーサー部材は、上記座金を隠すように上記波形屋根の頂部の上面に載置される中空台座で構成されていることを特徴とする屋根上取付具の取付構造。
【請求項２】
請求項１において、
上記挟持部材は、中央にボルト貫通孔が開設され、該ボルト貫通孔から一方の側端縁に至る切り溝が形成された上板と、該上板の基端より下方に延びる脚片と、該脚片の下端から上記上板と略同一の方向に延びる上記鍔片とより構成されており、
上記挟持具は、上記２つの挟持部材の上板同士を相対向させた状態で、相互の上板の先端が相手の上板の基端の下に配されるように、上記上板の切り溝同士を相互差し込みして上記両上板を揺動自在に噛み合わせて上記ボルト貫通孔同士を一致させ、その一致させたボルト貫通孔に挟持具締付ボルトを通し、締付ナットを螺合することで上記鍔片の先端同士を近接させる構造としている、屋根上取付具の取付構造。
【請求項３】
請求項１または２において、
上記スペーサー部材は、上記ボルト体が貫通する貫通孔を有した支持板よりなり、上記ナットの上に載置されて支持されている、屋根上取付具の取付構造。
【請求項４】
請求項１〜３のいずれか１項において、
上記支持板には、ナット収容凹所が形成されている、屋根上取付具の取付構造。
【請求項５】
一対の挟持部材を開閉自在に支点連結して挟持具を構成し、該挟持具の作用点とされる相対向する一対の鍔片を相互近接させ固定して、上記鍔片を波形屋根の頂部より突出したボルト体に、該ボルト体に螺着されたナットの上方で挟着させる構造とした屋根上取付具の取付構造であって、
上記屋根上取付具の鍔片と、上記波形屋根の頂部との間に、上記ボルト体が上方に貫通する構造としたスペーサー部材が介装され、上記屋根上取付具が該スペーサー部材の上面に載置されて取り付けられる構成とされ、
上記ナットと上記波形屋根の頂部との間には座金が介装されており、
上記スペーサー部材は、上記ボルト体が貫通する貫通孔を有した支持板よりなり、上記座金の上に載置されて支持されていることを特徴とする屋根上取付具の取付構造。
【請求項６】
請求項５において、
上記挟持部材は、中央にボルト貫通孔が開設され、該ボルト貫通孔から一方の側端縁に至る切り溝が形成された上板と、該上板の基端より下方に延びる脚片と、該脚片の下端から上記上板と略同一の方向に延びる上記鍔片とより構成されており、
上記挟持具は、上記２つの挟持部材の上板同士を相対向させた状態で、相互の上板の先端が相手の上板の基端の下に配されるように、上記上板の切り溝同士を相互差し込みして上記両上板を揺動自在に噛み合わせて上記ボルト貫通孔同士を一致させ、その一致させたボルト貫通孔に挟持具締付ボルトを通し、締付ナットを螺合することで上記鍔片の先端同士を近接させる構造としている、屋根上取付具の取付構造。
【請求項７】
請求項１〜６のいずれか１項において、
上記スペーサー部材には、上記波形屋根の頂部または上記ナットに係止するスペーサー部材回り止め片が形成されている、屋根上取付具の取付構造。
【請求項８】
請求項１〜７のいずれか１項において、
上記スペーサー部材には、上記屋根上取付具の鍔片に係止する取付具回り止め片が形成されている、屋根上取付具の取付構造。
【請求項９】
請求項１〜８のいずれかに記載の屋根上取付具の取付構造に用いられる屋根上取付具。
【請求項１０】
請求項１〜８のいずれかに記載の屋根上取付具の取付構造に用いられるスペーサー部材。
【発明の詳細な説明】
【技術分野】
【０００１】
本発明は、波形屋根の頂部より突出したボルト体に屋根上取付具の鍔片を挟着させて屋根上に取り付けるようにした屋根上取付具の取付構造、その屋根上取付具および屋根上取付具を波形屋根に取り付けるためのスペーサー部材に関する。
【背景技術】
【０００２】
一般に、折板屋根（角波形屋根）、丸波形屋根等の波形屋根の上面に、例えばテレビアンテナや空調機器、屋上緑化トレイ、太陽電池パネル、断熱シート等の各種機器・部材類を配設することが実施されており、従来には、これらの機器・部材類を屋根上に取り付けるための種々の屋根上取付具が提案されている（例えば、特許文献１参照）。
【０００３】
具体的には、特許文献１に記載の屋根上取付具は、下方に向けて拡開した、２つの挟持部材よりなる挟持具の交差状に連結した両上板に、挟持具締付ボルトを貫通させたうえで締付ナットを螺合し、脚片の下端から相対向した両鍔片を鋏のごとく近接させて、波形屋根の頂部における屋根材のハゼ接合により形成されたハゼ部に挟着させて取り付ける構造となっている。
【０００４】
同文献に記載された屋根上取付具は、２つの挟持部材よりなる挟持具を、開閉自在の緩んだ状態から、挟持具締付ボルト、締付ナットによる螺合により上板を締め付けて固定する構造となっているため、操作を容易に行うことができ、さらに締付操作をするための締付ナットを上板上面側に配しているため、螺合する際の作業性はきわめてよい。また、挟持具締付ボルトを上板のボルト貫通孔に下方より貫通させる際の作業性をよくするために、鍔片の先端中央に半円状の切欠き凹部が形成されている。
【先行技術文献】
【特許文献】
【０００５】
【特許文献１】特許第３３６８３７４号
【発明の概要】
【発明が解決しようとする課題】
【０００６】
しかしながら、上記特許文献１に記載の屋根上取付具では、上板の切り溝同士で噛み合わせ可能にした２つの挟持部材を組み合わせて開閉自在な挟持具を構成しているため、締め付けたときに、２つの挟持部材の鍔片が水平方向にわずかにずれるおそれがある。特に、上板の切り溝やボルト貫通孔には、作業時の開閉操作をスムーズにさせるための遊びが含まれているので、その遊びによって大きなずれが発生する可能性もある。
【０００７】
このように、上記文献の屋根上取付具は、ずれが発生するおそれがあるため、水平方向に多少のずれが起こっても問題のない、ハゼ部への装着に限定したものと想定でき、波形屋根の重ね式接合に使用されるボルト体への装着についてはほとんど想定していないものと考えられる。このことは、上記文献において、鍔片の先端中央に施工性をよくするための切欠き凹部を設けたことからも想定できる。
【０００８】
また、屋根上取付具を重ね式接合構造の波形屋根に対応させた場合には、波形屋根の上面に、上記ボルト体に螺着されるナットが配されているから、鍔片でボルト体を挟み込む位置は、ボルト体の軸部の、ナットよりも上方に突き出た箇所となり、そのため鍔片をボルト体に挟着させたときには、両脚片の下端部と鍔片の全体とが屋根から浮いた状態となる。そのため、屋根上取付具に対して大きな外力が加われば、屋根上取付具がぐらつくおそれがある。
【０００９】
したがって、２つの挟持部材で構成した挟持具で構成された屋根上取付具を重ね式接合構造の波形屋根に取り付ける場合には、上記挟持具の特有の構造により発生する鍔片間のずれ、および鍔片が屋根から浮いた状態となることにより屋根上取付具自体が不安定になることの２つの問題を解消する必要があるが、この問題を解消した屋根上取付具はいまだ提案されていない。
【００１０】
本発明は、このような事情を考慮して提案されたもので、その目的は、重ね式接合構造の波形屋根の頂部に対して隙間なく、もしくは隙間があっても安定的に強固に取り付けることができ、かつ、鍔片間にずれの発生しにくい屋根上取付具の取付構造、その屋根上取付具および屋根上取付具を波形屋根に隙間なく取り付けるためのスペーサー部材を提供することにある。
【課題を解決するための手段】
【００１１】
上記目的を達成するために、請求項１に記載の屋根上取付具の取付構造は、一対の挟持部材を開閉自在に支点連結して挟持具を構成し、挟持具の作用点とされる相対向する一対の鍔片を相互近接させ固定して、鍔片を波形屋根の頂部より突出したボルト体に、ボルト体に螺着されたナットの上方で挟着させる構造とした屋根上取付具の取付構造であって、屋根上取付具の鍔片と、波形屋根の頂部との間に、ボルト体が上方に貫通する構造としたスペーサー部材が介装され、屋根上取付具がスペーサー部材の上面に載置されて取り付けられる構成とされ、ナットと波形屋根の頂部との間には座金が介装されており、スペーサー部材は、座金を隠すように波形屋根の頂部の上面に載置される中空台座で構成されていることをを特徴とする。
【００１２】
請求項２に記載の屋根上取付具の取付構造では、挟持部材は、中央にボルト貫通孔が開設され、ボルト貫通孔から一方の側端縁に至る切り溝が形成された上板と、上板の基端より下方に延びる脚片と、脚片の下端から上記上板と略同一の方向に延びる上記鍔片とより構成されており、挟持具は、上記２つの挟持部材の上板同士を相対向させた状態で、相互の上板の先端が相手の上板の基端の下に配されるように、上板の切り溝同士を相互差し込みして両上板を揺動自在に噛み合わせてボルト貫通孔同士を一致させ、その一致させたボルト貫通孔に挟持具締付ボルトを通し、締付ナットを螺合することで鍔片の先端同士を近接させる構造としている。
【００１３】
請求項３に記載の屋根上取付具の取付構造では、スペーサー部材はボルト体が貫通する貫通孔を有した支持板よりなり、ナットの上に載置されて支持されている。
【００１４】
請求項４に記載の屋根上取付具の取付構造では、支持板にナット収容凹所が形成されている。
【００１５】
請求項５に記載の屋根上取付具の取付構造は、一対の挟持部材を開閉自在に支点連結して挟持具を構成し、該挟持具の作用点とされる相対向する一対の鍔片を相互近接させ固定して、鍔片を波形屋根の頂部より突出したボルト体に、該ボルト体に螺着されたナットの上方で挟着させる構造とした屋根上取付具の取付構造であって、屋根上取付具の鍔片と、波形屋根の頂部との間に、ボルト体が上方に貫通する構造としたスペーサー部材が介装され、屋根上取付具が該スペーサー部材の上面に載置されて取り付けられる構成とされ、ナットと上記波形屋根の頂部との間には座金が介装されており、スペーサー部材は、ボルト体が貫通する貫通孔を有した支持板よりなり、上記座金の上に載置されて支持されていることを特徴とする。
【００１６】
請求項６に記載の屋根上取付具の取付構造では、挟持部材は、中央にボルト貫通孔が開設され、該ボルト貫通孔から一方の側端縁に至る切り溝が形成された上板と、該上板の基端より下方に延びる脚片と、該脚片の下端から上板と略同一の方向に延びる鍔片とより構成されており、挟持具は、２つの挟持部材の上板同士を相対向させた状態で、相互の上板の先端が相手の上板の基端の下に配されるように、上板の切り溝同士を相互差し込みして両上板を揺動自在に噛み合わせてボルト貫通孔同士を一致させ、その一致させたボルト貫通孔に挟持具締付ボルトを通し、締付ナットを螺合することで鍔片の先端同士を近接させる構造としている。
【００１７】
請求項７に記載の屋根上取付具の取付構造では、スペーサー部材に波形屋根の頂部またはナットに係止するスペーサー部材回り止め片が形成されている。
【００１８】
請求項８に記載の屋根上取付具の取付構造では、スペーサー部材に屋根上取付具の鍔片に係止する取付具回り止め片が形成されている。
【００１９】
請求項９に記載の屋根上取付具は、請求項１〜８のいずれかに記載の屋根上取付具の取付構造に用いられるものである。
【００２０】
請求項１０に記載のスペーサー部材は、請求項１〜８のいずれかに記載の屋根上取付具の取付構造に用いられるものである。
【発明の効果】
【００２１】
本発明によれば、次のような効果がある。
【００２２】
すなわち、請求項１に係る屋根上取付具の取付構造、請求項９に係る屋根上取付具、請求項１０に係るスペーサー部材によれば、屋根上取付具の鍔片と、上面にナットが配された重ね式接合構造の波形屋根の頂部との間にスペーサー部材を介装して、そのスペーサー部材の上面に屋根上取付具が載置される構成となっているため、鍔片が波形屋根の頂部より浮いた状態となることなく、屋根上取付具を重ね式接合構造の波形屋根に対して、隙間なく安定的に、かつ強固に取り付けることができる。
【００２３】
また、屋根上取付具が２つの挟持部材よりなる挟持具で構成されているため、ボルト体を挟持したときに鍔片間でずれが発生するおそれがあるが、屋根上取付具がスペーサー部材を介して波形屋根の頂部の上面にしっかりと載置される構成であるため、そのようなずれは発生しにくい。かりに、ずれが発生したとしても、屋根上取付具は波形屋根の上で安定しているので、上記ずれを原因としたぐらつきが発生するおそれはない。
また、請求項１に係る屋根上取付具の取付構造によれば、ナットと波形屋根の頂部との間に座金が介装されているので、座金に防水パッキン等を付加することでボルト体の貫通孔からの防水が図れる。また、スペーサー部材は座金を隠すようにした中空台座よりなり、座金をかわして頂部の上面に載せ置かれる構成であるため、安定をさらによくすることができる。
【００２４】
請求項２に係る屋根上取付具の取付構造によれば、挟持具は、２つの挟持部材の上板同士を相対向させた状態で、相互の上板の先端が相手の上板の基端の下に配されるように、上板の切り溝同士を相互差し込みして両上板を揺動自在に噛み合わせてボルト貫通孔同士を一致させ、その一致させたボルト貫通孔に挟持具締付ボルトを通し、締付ナットを螺合することで鍔片の先端同士を近接させる構造としているので、２枚重なった上板を挟持具締付ボルトと締付ナットで上下方向に締め付けるだけで容易に、両鍔片を相互に近接させてボルト体に挟着させることができる。特に、締付ナットを上板の上面側に配するようにすれば、さらに締付操作を簡単に行える。
【００２５】
請求項３に係る屋根上取付具の取付構造によれば、スペーサー部材がナット上に載せ置かれる支持板で構成されているため、スペーサー部材を簡易に取り付けることができる。
【００２６】
請求項４に係る屋根上取付具の取付構造によれば、支持板にナット収容凹所が形成されているので、支持板を側面から見た場合、ナット収容凹所を配した中央が突出し、周囲がその突出部よりも低くなっている。そのため、鍔片が傾斜起立形状である場合に適しており、屋根上取付具は鍔片の下端が浮いた状態になることなく支持されるし、屋根上取付具の配設位置が高くなりすぎることもない。
【００２７】
さらに、請求項５に係る屋根上取付具の取付構造によれば、ナットと波形屋根の頂部との間に座金が介装されているので、座金に防水パッキン等を内装することでボルト体の貫通孔からの防水が図れる。また、スペーサー部材は座金の上に載置される支持板よりなる構成であるため、特に支持板を座金とナットとの間に挟み込む態様のものでは、ナットを強く締め付けておけば支持板が回転することを防止でき、また支持板を座金に載せ置く態様のものでは、ナットを取り外すことなく支持板を簡易に取り付けられる。
【００２８】
請求項６に係る屋根上取付具の取付構造によれば、挟持具は、２つの挟持部材の上板同士を相対向させた状態で、相互の上板の先端が相手の上板の基端の下に配されるように、上板の切り溝同士を相互差し込みして両上板を揺動自在に噛み合わせてボルト貫通孔同士を一致させ、その一致させたボルト貫通孔に挟持具締付ボルトを通し、締付ナットを螺合することで鍔片の先端同士を近接させる構造としているので、２枚重なった上板を挟持具締付ボルトと締付ナットで上下方向に締め付けるだけで容易に、両鍔片を相互に近接させてボルト体に挟着させることができる。特に、締付ナットを上板の上面側に配するようにすれば、さらに締付操作を簡単に行える。
【００２９】
請求項７に係る屋根上取付具の取付構造によれば、スペーサー部材に波形屋根の頂部またはナットに係止するスペーサー部材回り止め片が形成されているので、スペーサー部材が回転することを防止できる。
【００３０】
請求項８に係る屋根上取付具の取付構造によれば、スペーサー部材に屋根上取付具に係止する取付具回り止め片が形成されているので、屋根上取付具が回転することを防止できる。
【図面の簡単な説明】
【００３１】
【図１】本発明に係る屋根上取付具の取付構造の第１の実施形態を示す説明図であり、（ａ）は屋根上取付具を波形屋根へ取り付けた状態を示した正面図、（ｂ）は同側面図である。
【図２】（ａ）は図１に示した屋根上取付具を波形屋根へ取り付ける前の状態を示した分解斜視図、（ｂ）は（ａ）のＸ部分の拡大平面図である。
【図３】同屋根上取付具の分解斜視図である。
【図４】（ａ）、（ｂ）は同屋根上取付具の施工状態を示す正面図である。
【図５】（ａ）〜（ｃ）は同実施形態のスペーサー部材の他例を示す斜視図である。
【図６】本発明に係る屋根上取付具の取付構造の第２の実施形態を示す説明図で、屋根上取付具を波形屋根へ取り付ける前の状態を示した分解斜視図である。
【図７】同屋根上取付具の取付後の斜視図である。
【図８】（ａ）、（ｂ）は同実施形態のスペーサー部材の他例を示す斜視図である。
【図９】本発明に係る屋根上取付具の取付構造の第３の実施形態を示す説明図であり、（ａ）は屋根上取付具の取付構造を示した正面図、（ｂ）はスペーサー部材の斜視図である。
【図１０】同実施形態の他例を示す説明図であり、（ａ）は屋根上取付具の取付構造を示した正面図、（ｂ）はスペーサー部材の斜視図である。
【図１１】本発明に係る屋根上取付具の取付構造の第４の実施形態を示す説明図であり、（ａ）は屋根上取付具の取付構造を示した一部破断正面図、（ｂ）、（ｃ）は（ａ）の屋根上取付具に使用されるスペーサー部材２例の斜視図である。
【図１２】同実施形態の他例を示す説明図であり、（ａ）は屋根上取付具の取付構造を示した正面図、（ｂ）はスペーサー部材の斜視図である。
【図１３】本発明に係る屋根上取付具の取付構造の第５の実施形態を示す説明図であり、（ａ）は屋根上取付具の取付構造を示した正面図、（ｂ）はスペーサー部材の平面図である。
【図１４】同実施形態の他例である屋根上取付具の取付構造を示した正面図である。
【図１５】（ａ）、（ｂ）は、本発明に係る屋根上取付具の他の実施形態を示す概略説明図である。
【発明を実施するための形態】
【００３２】
以下に、本発明の実施の形態について、添付図面を参照しながら説明する。
【００３３】
なお、以下には、本発明の屋根上取付具の取付対象である波形屋根として、角波形屋根、つまり折板屋根を例示しているが、丸波形屋根（略半円形の山部と谷部とが交互に連続する屋根）にも適用できる。また、屋根の素材としては、金属や合成樹脂、セメント系等のものが適用できる。
【００３４】
図１は本発明に係る屋根上取付具の取付構造の第１の実施形態を示す説明図であり、図１（ａ）は屋根上取付具の折板屋根への取付状態を示した正面図、図１（ｂ）は同側面図である。図２（ａ）は図１に示した屋根上取付具を折板屋根へ取り付ける前の状態を示した分解斜視図、図２（ｂ）は（ａ）のＸ部分の拡大平面図である。図３は同屋根上取付具の分解斜視図である。図４（ａ）、（ｂ）は同屋根上取付具の施工状態を示す正面図である。
【００３５】
本実施形態に使用される折板屋根３０は、山部３１と谷部３２とが交互に連続する屋根であって、複数の折板屋根材を山部３１の頂部３１ａで重合し、その重合部３０ａでボルト体ＢとナットＣの螺着によって連結した重ね式構造となっている。また、ボルト孔３０ｂからの水浸入の防止のために、ナットＣと頂部３１ａとの間に、防水パッキンが内装された略円錐形の座金Ｄが取り付けられている。なお、ナットＣと座金Ｄとが一体となったものを使用してもよい。
【００３６】
一方、屋根上取付具Ａは、金属板または硬質樹脂板よりなり、折板屋根３０の頂部３１ａより上方に突出した重合部連結用の上記ボルト体Ｂに挟着させて、取付、固定する構造となっている。
【００３７】
この屋根上取付具Ａは、一対の挟持部材１０を開閉自在に支点連結して挟持具１を構成し、挟持具１の作用点とされる相対向する一対の鍔片１３を相互近接させ固定して、鍔片１３を折板屋根３０の頂部３１ａより突出したボルト体Ｂに、ボルト体Ｂに螺着されたナットＣの上方で挟着させる構造とした取付具であって、屋根上取付具Ａの鍔片１３と、折板屋根３０の頂部３１ａとの間に、ボルト体Ｂが上方に貫通する構造としたスペーサー部材Ｓが介装され、屋根上取付具Ａがスペーサー部材Ｓの上面に載置されて取り付けられる取付構造となっている。
【００３８】
また、本実施形態では、脚片１２の下端より延設された鍔片１３が、折曲基部１３ａから先端部１３ｂに向けて傾斜起立した形状となっているが、頂部３１ａの上面に平行なものでもよい。
【００３９】
まず、挟持具１全体の構造について説明する。
【００４０】
挟持具１を構成する一対の挟持部材１０のそれぞれは、図３に示すように、中央にボルト貫通孔１１ｅが開設され、ボルト貫通孔１１ｅから一方の側端縁に至る切り溝１１ｄが形成された上板１１と、上板１１の基端より折曲して下方に延びる脚片１２と、脚片１２の下端から上板１１と略同一の方向に延びる鍔片１３とより構成されている。
【００４１】
挟持具１は、上記２つの挟持部材１０の上板１１同士を相対向させた状態で、相互の上板１１の先端が相手の上板１１の基端の下に配されるように、上板１１の切り溝１１ｄ同士を相互差し込みして両上板１１を揺動自在に噛み合わせてボルト貫通孔１１ｅ同士を一致させ、その一致させたボルト貫通孔１１ｅに挟持具締付ボルト２１を通し、締付ナット２２を螺合することで鍔片１３の先端同士を近接させる構造となっている。
【００４２】
ここで、挟持具締付ボルト２１としては、図３に示すように、角根丸頭ボルトを使用すればよく、締付ナット２２としては、ハット状の座金２２ｂの頂面にナット２２ａが回動自在に取り付けられた座金付きナットを使用すればよい。ボルト止め２３は合成樹脂製等より製され、孔２３ａの周縁に複数の切り込み２３ｂが形成してある。
【００４３】
以上の構造を要約すれば、挟持具１を構成する２つの挟持部材１０は上板１１に形成された切り溝１１ｄで交差状に連結され、挟持具締付ボルト２１と締付ナット２２で上下から２つの上板１１を締め付けることで、切り溝１１ｄ部分を支点として力点となる上板１１の先端を拡開させ、交差状態にある両上板１１をより平板状に近づけることによって、作用点とされる両鍔片１３を相互近接させるような変形鋏構造となっている。
【００４４】
また、上板１１は、さらに具体的には図３に示すように、平板状の基端部１１ａと、その基端部１１ａより先端側に形成された段差部１１ｃと、その段差部１１ｃよりさらに先端側に形成された、基端部１１ａよりほぼ板厚１枚分低い位置にある先端部１１ｂとを備えている。そして、上板１１のほぼ中央には、段差部１１ｃを中心に基端部１１ａと先端部１１ｂにまたがる長孔が設けてあり、この長孔が上記ボルト貫通孔１１ｅを構成している。さらに、この長孔の先端部１１ｂ側の端部側には、下向きに切り起こした押さえ爪１１ｆが形成されている。また、このボルト貫通孔１１ｅに連通する上記切り溝１１ｄは段差部１１ｃに沿って形成されている。なお上板１１は、全体として緩い前方傾斜状となっていることが望ましい。
【００４５】
このように、段差部１１ｃを、上板１１の中央に設けたボルト貫通孔１１ｅと切り溝１１ｄとに沿って形成することで、上板１１の先端部１１ｂが開いたときに、重合した２枚の上板１１がほぼ平板状となり、かつ上板１１の基端部１１ａと相手の挟持部材１０の上板１１の先端部１１ｂとの間の隙間がより小さくなって、屋根上取付具Ａを、ぐらつくおそれのない、より安定した形状とすることができる。
【００４６】
このような屋根上取付具Ａでは、挟持具１が２つの挟持部材１０で構成され、それらが開閉自在に支点連結されているので、挟持具締付ボルト２１と締付ナット２２とが緩んだ状態にあるときは、２つの挟持部材１０も緩んだ状態にある。そのため、鍔片１３を閉状態に固定するためには、締付ナット２２を締め付けて上板１１同士を固定するだけでよく、施工性が非常によい。
【００４７】
また、図２（ｂ）の拡大平面図に示すように、鍔片１３の先端部１３ｂの辺縁の略中央には、折板屋根３０の頂部３１ａより突出したボルト体Ｂの外周面に嵌合可能な凹所１３ｃが形成されており、さらに凹所１３ｃの中央には上方に傾斜起立された切り起こし片１３ｄが形成されている。なお、この切り起こし片１３ｄはボルト体Ｂの軸部Ｂ１に対して鋭角的に嵌合させるものであるが、挟着したときに鍔片１３自体がある程度傾斜するものであれば、その傾斜の程度によっては、切り起こし片１３ｄを形成しないものであってもよい。さらに、鍔片１３には、鍔片１３の強度を上げるためのリブ１３ｅが形成されている。
【００４８】
さらに、本実施形態の屋根上取付具Ａの取付構造は、本発明の特徴であるスペーサー部材Ｓをさらに付加した構造となっている。このスペーサー部材Ｓは屋根上取付具Ａ載置用の環状の台輪４７よりなる中空台座４０であり、上端面４７ａに鍔片１３の折曲基部１３ａが当接するとともに、ナットＣと座金Ｄの全体を包囲して中空部４８内に隠すように折板屋根３０の頂部３１ａの上面に載せ置かれる。なお、台輪４７はナットＣの上端よりも低いものでもよい。
【００４９】
以上のように構成した屋根上取付具Ａは、以下の要領で折板屋根３０に取り付けて使用する。
【００５０】
まず、屋根上取付具Ａを挟持具１の両鍔片１３が十分に開いた状態、つまり挟持具締付ボルト２１、締付ナット２２の螺合を緩めて、２つの挟持部材１０を開閉自在に支点連結しておく（図４（ａ）参照）。
【００５１】
次に、折板屋根３０の頂部３１ａより突出したボルト体Ｂの上方から、まず環状のスペーサー部材Ｓ（台輪４７）を、その中空部４８にボルト体Ｂが挿通されるようにして、折板屋根３０の頂部３１ａの上面に載置し、ついで、緩んだ状態で連結してある屋根上取付具Ａを、その両鍔片１３の間隙１５にボルト体Ｂが嵌挿されるようにして、台輪４７の上端面４７ａに載置する（図４（ａ）、（ｂ）参照）。
【００５２】
そして、仮止め状態にしていた挟持具締付ボルト２１および締付ナット２２を締め付けていくと、揺動自在の緩んだ状態で交差状に重合していた両上板１１が平板状に近づき、それと同時に両脚片１２の下端より延びた両鍔片１３も互いに近接し、この鍔片１３に設けた凹所１３ｃにボルト体Ｂが嵌合して、両鍔片１３がボルト体Ｂを挟持し、両上板１１の揺動が不能となるように固定されて、一対の挟持部材１０は固定した状態となる（図１参照）。
【００５３】
こうして折板屋根３０に取り付けた屋根上取付具Ａの上板１１の上には、上板１１に立設された挟持具締付ボルト２１等によって各種機器・部材類（不図示）を取り付けることができる（図１参照）。
【００５４】
このように、挟持具締付ボルト２１および締付ナット２２で挟持具１を締め付けると、図３および図１に示すように、両脚片１２の下端が相互に近づいて両脚片１２が傾斜状態から略垂直状態に変化していき、その下端部である、鍔片１３の折曲基部１３ａが相互に近づいて、台輪４７の上に安定的に載置された状態となる。
【００５５】
このように台輪４７よりなる中空台座４０を設けた構造によれば、鍔片１３が頂部３１ａより浮いた状態となることなく、屋根上取付具Ａを折板屋根３０に対して隙間なく安定的に強固に取り付けることができる。また、台輪４７が折板屋根３０の上面に載置される構成であるため、屋根上取付具Ａがシーソーのごとくぐらつくことを防止できる。
【００５６】
さらに、スペーサー部材Ｓが台輪４７で構成されているため、座金Ｄに抵触しないように安定的に頂部３１ａに載置できるとともに素材量の節約にも貢献できるし、座金ＤおよびナットＣを側方より覆っているので隙間がなく見映えもよい。
【００５７】
また、本実施形態では、屋根上取付具Ａを折板屋根３０に取り付けるためのボルト体Ｂは、屋根材連結用のものが兼用されているため、取付のための部材点数を少なくすることができる。
【００５８】
また、屋根上取付具Ａが２つの挟持部材１０よりなる挟持具１で構成されているため、両鍔片１３を相互に近接させると、上板１１のボルト貫通孔１１ｅに形成された遊び等により両鍔片１３の先端が相互に水平方向にずれるおそれがあるが、屋根上取付具Ａがスペーサー部材Ｓを介して折板屋根３０の頂部３１ａの上面にしっかりと載置されるため、そのようなずれは発生しにくい。かりに、そのようなずれが発生したとしても、屋根上取付具Ａは折板屋根３０の上で安定しているので、ぐらつくおそれはない。
【００５９】
特に、本実施形態では、鍔片１３の先端部１３ｂの辺縁の略中央に、折板屋根３０の頂部３１ａより突出したボルト体Ｂの外周面に嵌合可能な凹所１３ｃが形成されているため、スペーサー部材Ｓによる安定感ともあいまって、上記ずれが発生するおそれはほとんどない。
【００６０】
以上では、スペーサー部材Ｓの例として環状で、座板を有さない中空台座４０（台輪４７）を示したが、図５（ａ）〜（ｃ）に示すような中空台座４０であってもよい。なお図５（ａ）では、屋根上取付具Ａ（図１参照）の取付対象である折板屋根３０を簡略的に図示し、図５（ｂ）、（ｃ）ではそれらの図示を割愛している。
【００６１】
図５（ａ）に示した中空台座４０は、一部を切り欠いた平面視矩形状の台輪４７であり、台輪４７は下端部が座金Ｄをかわして頂部３１ａに載置される形状となっている。なお、図５（ａ）中の破線は、台輪４７の頂部３１ａにおける載置位置を示すものである。
【００６２】
この中空台座４０によれば、台輪４７で構成されているため屋根上取付具Ａを安定支持できるとともに、一部を切り欠き、座金Ｄの全てを隠さない形状となっているため、素材量を軽減できる。また金型成形によらなくても折曲成形によって簡易に形成できる。
【００６３】
図５（ｂ）に示した中空台座４０は、ボルト体Ｂの貫通孔４３を有した矩形状の座板４１と、その両短辺縁より下方に延びたＬ字形の脚部４２とを備えている。この脚部４２は、頂部３１ａの形成方向に沿って並んで配されるように頂部３１ａに載置されている。なお、図５（ｂ）、（ｃ）において、スペーサー部材Ｓの折板屋根３０に対する設置方向は、図５（ａ）と同様である。
【００６４】
また、図５（ｃ）に示した中空台座４０は、図５（ｂ）と同様に貫通孔４３を有した矩形状の座板４１を備えているが、脚部４２は頂部３１ａの波の方向に沿って配される座板４１の両長辺縁に形成されている。なお、この脚部４２は座金Ｄに抵触しないように中央部が切り欠かれている。
【００６５】
なお、図５（ｂ）、（ｃ）では、貫通孔４３をナットＣよりもやや大きな径のものとし、ナットＣの上端が貫通孔４３より少し突き出る中空台座４０を示しているが、ナットＣを座板４１の下方に隠すものであってもよい。もちろん、図例のようにナットＣを通す程度の貫通孔４３を設けて中空台座４０の座板４１を低く形成するほうが、鍔片１３のボルト体Ｂへの挟着位置を低くでき安定させることができるので、望ましい。
【００６６】
以上の３例はいずれも、図１に示したものと同様に、スペーサー部材Ｓが折板屋根３０の頂部３１ａに載置、支持され、かつ屋根上取付具Ａを支持する台座構造であるため、屋根上取付具Ａを折板屋根３０に対して隙間なく安定的に強固に取り付けることができる。特に、図１〜図５に示したスペーサー部材Ｓはいずれも中空台座４０の構造であるため、座金Ｄに抵触することなく頂部３１ａの上面に載置させることができる。
【００６７】
中空台座で構成されたスペーサー部材としては、円形または矩形の台輪に、貫通孔付きの底板部、または／および、貫通孔付きの天板部を付加した構成であってもよい。
【００６８】
ついで、本発明の第２の実施形態について説明する。
【００６９】
図６は第２の実施形態の屋根上取付具の取付構造を示す分解斜視図、図７は同屋根上取付具の取付後の斜視図である。
【００７０】
図６および図７の説明においては、図１〜図５（第１の実施形態）と共通する部位には同一の符号を付して、重複する説明を省略し、特徴点についてのみ記述するものとする。
【００７１】
本実施形態では、スペーサー部材Ｓは中空台座４０の構造、つまり折板屋根３０の頂部３１ａに、座金Ｄをかわして載置、支持され、かつ屋根上取付具Ａを座板４１で支持する構造であり、その点では第１の実施形態（図５（ｂ）、（ｃ）の座板と脚部とを有した形態）のものと共通するが、座板４１の両辺縁より上方に突出した取付具回り止め片４４と、他の両辺縁から下方に延びた脚部４２の両端に設けられたスペーサー部材回り止め片４５を備えている点で第１の実施形態のものと異なっている。なお図例では、貫通孔４３はナットＣを上方に突出させるようにナットＣよりも大きな孔に形成されているが、ナットＣを座板４１の下方に隠すものでもよい。
【００７２】
この取付具回り止め片４４は、屋根上取付具Ａを取り付けた状態では、鍔片１３の両側端と接触または近接状態にあり、屋根上取付具Ａに回転力が作用しても、取付具回り止め片４４に係止するので回転ずれが起こることを防止できるし、鍔片１３間のずれも防止できる。なお、取付具回り止め片４４は脚部４２と同一辺に設けてもよい。
【００７３】
また、スペーサー部材回り止め片４５は、両脚部４２に１対ずつ形成されており、両脚部４２は、各１対のスペーサー部材回り止め片４５が折板屋根３０の山部３１の頂部３１ａに跨るように、頂部３１ａの上に載置されているので、スペーサー部材Ｓの回転および波の方向への移動を制止できる。
【００７４】
なお、スペーサー部材Ｓの波の方向への移動および頂部３１ａの形成方向への移動は、貫通孔４３に挿通されたナットＣまたはボルト体Ｂによっても規制されていることはいうまでもない。よってスペーサー部材ＳはナットＣまたはボルト体Ｂが外れないかぎり、移動することはない。
【００７５】
また、図５および図６に示したスペーサー部材Ｓは、切り起こし、折り曲げ等で形成できるので、製造も容易である。
【００７６】
図８（ａ）、（ｂ）は、同実施形態および第３の実施形態のいずれにも関連するスペーサー部材の他２例を示す斜視図である。
【００７７】
これらのスペーサー部材Ｓは、座板４１と脚部４２とを備えた台座構造であり、さらに取付具回り止め片４４、スペーサー部材回り止め片４５を備えている点で図６および図７のものと類似している。しかし、図８（ａ）、（ｂ）のものは、脚部４２が一方にしか形成されておらず、折板屋根３０の頂部３１ａに設置した状態では、座板４１の下面がナットＣに接して支持されている。つまり、このスペーサー部材Ｓは、後述する支持板５０（図９参照）と同種のものであり、支持板５０にさらに脚部４２を付加した構成であるといえる。
【００７８】
すなわち、これらのスペーサー部材Ｓは、１つの脚部４２、および座板４１のナットＣとの接触部の２箇所でもって下方より支持されており、そのため、スペーサー部材Ｓおよびその上の屋根上取付具Ａはぐらつきなく安定する。また、脚部４２を一辺のみに形成すればよいため、素材量を節約できる。
【００７９】
また、スペーサー部材Ｓには取付具回り止め片４４、スペーサー部材回り止め片４５が形成されているので、スペーサー部材Ｓおよび屋根上取付具Ａの回転ずれ等が防止できる。
【００８０】
なお、図８（ｂ）に示したスペーサー部材Ｓは、座板４１の上面の４箇所に、上方に突き出た小突起によって構成された取付具回り止め片４４を備えている。
【００８１】
また、図８（ａ）、（ｂ）のいずれにおいても、脚部４２が折板屋根３０の頂部３１ａ（図７参照）の上面に接触せず、つまり浮いた状態となる構造であってもよい。そのような構造のスペーサー部材は、中空台座というよりは、次に示す第３の実施形態における支持板５０（図９参照）と同等のものとして位置付けられる。また、２つのスペーサー部材回り止め片４５の対向する端部４５ａが頂部３１ａの端部に接触する構造であってもよい。
【００８２】
ついで、本発明の第３の実施形態について説明する。本実施形態および第４、第５の実施形態では、屋根上取付具を折板屋根に取り付けたときに、折板屋根に接触しないスペーサー部材を用いる構造を示している。
【００８３】
図９は第３の実施形態を示す説明図であり、図９（ａ）は屋根上取付具の取付構造を示した正面図、図９（ｂ）はスペーサー部材の斜視図である。図１０は同実施形態の他例を示す説明図であり、図１０（ａ）は屋根上取付具の取付構造を示した正面図、図１０（ｂ）はスペーサー部材の斜視図である。
【００８４】
図９および図１０の説明においては、図１〜図５（第１の実施形態）と共通する部位には同一の符号を付して、重複する説明を省略し、特徴点についてのみ記述するものとする。
【００８５】
これらのものでは、スペーサー部材Ｓが、ボルト体Ｂが貫通する貫通孔５１を有した支持板５０より構成されており、屋根上取付具Ａを取り付けた状態では、支持板５０の下面がナットＣの上端面に接触して下方より支持され、一方、支持板５０の上面に鍔片１３の折曲基部１３ａが当接されて屋根上取付具Ａを支持している。
【００８６】
図９のものは、矩形平板の中央に貫通孔５１を開設しただけの簡易な形状であるため、屋根上取付具Ａの折板屋根３０への取り付けを楽に行えるし、スペーサー部材Ｓの製造も容易であり、また少ない素材量で成形できる。
【００８７】
また、図１０のものは、円板よりなる支持板５０の上面の４箇所に、鍔片１３の折曲基部１３ａに係止し得る取付具回り止め片５５が形成され、下面の２箇所にナットＣに係止し得るスペーサー部材回り止め片５６が形成されている。いずれの回り止め片も小突起状に形成されている。
【００８８】
このスペーサー部材Ｓによれば、取付具回り止め片５５およびスペーサー部材回り止め片５６が形成されているので、屋根上取付具Ａおよびスペーサー部材Ｓの回転ずれを防止できる。なお、スペーサー部材回り止め片５６はナットＣに係止するものであるため、スペーサー部材Ｓの回転力によってナットＣが回転して緩むおそれがあるが、ボルト体ＢとナットＣを強固に螺着することでナットＣの回転は回避できる。
【００８９】
ついで、本発明の第４の実施形態について説明する。
【００９０】
図１１は第４の実施形態を示す説明図であり、図１１（ａ）は屋根上取付具の取付構造を示した一部破断正面図、図１１（ｂ）、（ｃ）は図１１（ａ）の屋根上取付具に使用されるスペーサー部材２例の斜視図である。図１２は同実施形態の他例を示す説明図であり、図１２（ａ）は屋根上取付具の取付構造を示した正面図、図１２（ｂ）はスペーサー部材の斜視図である。
【００９１】
図１１および図１２の説明においては、図１〜図５（第１の実施形態）と共通する部位には同一の符号を付して、重複する説明を省略し、特徴点についてのみ記述するものとする。
【００９２】
図１１に示したものでは、スペーサー部材Ｓが円板状の支持板５０よりなり、その支持板５０の中央部が上方に突出した形状となっており、支持板５０の下面側には、ナットＣが収容される、上記突出部５３に対応したナット収容凹所５２が形成され、そのナット収容凹所５２の底部にはボルト体Ｂが貫通する貫通孔５１が開設されている。つまり、このスペーサー部材Ｓは、屋根上取付具Ａを取り付けた状態では、支持板５０のナット収容凹所５２の内底面がナットＣの上端面に接触して支持され、一方、下段部５４の上面に鍔片１３の折曲基部１３ａが当接されて屋根上取付具Ａを支持している。
【００９３】
ナット収容凹所５２を形成した上面側の突出部５３の形状としては、ナットＣの形状に合った六角筒状のもの（図１１（ｂ）参照）でも、円柱状のもの（図１１（ｃ）参照）でもよい。ナット収容凹所５２が六角筒状のものによれば、ナットＣとの係止によって回転を制止できる。円柱状のものでも、図例のように取付具回り止め片５５を設けることで回転を制止できる。
【００９４】
また、図１２に示したものでは、スペーサー部材Ｓが支持板５０よりなり、その支持板５０の中央部に凸条よりなる突出部５３が形成されており、支持板５０の下面側には、凸条に対応した凹溝よりなるナット収容凹所５２が形成され、そのナット収容凹所５２の底部にはボルト体Ｂが貫通する貫通孔５１が開設されている。つまり、このスペーサー部材Ｓも、屋根上取付具Ａを取り付けた状態では、支持板５０のナット収容凹所５２の内底面がナットＣに接触して支持されており、一方、下段部５４の上面に鍔片１３の折曲基部１３ａが当接されて屋根上取付具Ａを支持している。また、下段部５４には取付具回り止め片５５が設けられている。
【００９５】
図１１および図１２に示したスペーサー部材Ｓはいずれも、屋根上取付具Ａの鍔片１３の折曲基部１３ａが支持板５０の下段部５４に当接する構成となっているため、鍔片１３の傾斜が急なもの、あるいはボルト体Ｂの軸部Ｂ１が短いものでも、鍔片１３の先端部１３ｂをボルト体Ｂに挟着させることができる。
【００９６】
つぎに、本発明の第５の実施形態について説明する。
【００９７】
図１３は本発明に係る屋根上取付具の取付構造の第５の実施形態を示す説明図であり、図１３（ａ）は屋根上取付具の取付構造を示した正面図、図１３（ｂ）はスペーサー部材の平面図である。図１４は、同実施形態の他例である屋根上取付具の取付構造を示した正面図である。
【００９８】
図１３および図１４の説明においては、図１〜図５（第１の実施形態）と共通する部位には同一の符号を付して、重複する説明を省略し、特徴点についてのみ記述するものとする。
【００９９】
図１３に示したものでは、スペーサー部材Ｓが支持板５０よりなり、その支持板５０の中央部が下方に突出した形状となっており、支持板５０の中央には、ナットＣが収容される、上記下方突出部５８に対応したナット嵌合凹所５７が形成され、そのナット嵌合凹所５７の底部５７ａには、ボルト体Ｂが貫通する貫通孔５１を構成するとともにナットＣが嵌合するナット嵌合孔５９が開設されている。つまり、このスペーサー部材Ｓは、屋根上取付具Ａを取り付けた状態では、支持板５０の下方突出部５８の下面が座金Ｄに接触して支持され、一方、支持板５０の上面に鍔片１３の折曲基部１３ａが当接されて屋根上取付具Ａを支持している。
【０１００】
このナット嵌合凹所５７に設けられたナット嵌合孔５９は、図１３（ｂ）に示すように、六角状のナットＣが嵌合し得る花弁形状の突起がスペーサー部材回り止め片５６を構成しており、ナットＣがいったん嵌合したのちは、ナット嵌合孔５９の内向片がナットＣによって係止されて、スペーサー部材Ｓの回転が阻止される。
【０１０１】
さらに、支持板５０の上面の４箇所には、取付具回り止め片５５が形成されている。
【０１０２】
図１３に示したスペーサー部材Ｓのように、支持板５０が座金Ｄの上に載置され、さらにナットＣを貫通する貫通孔５１を有したものとして、図１３に示したような凹所のない、例えば平板状で貫通孔が開設された支持板（図８、９に示した支持板５０と比べて貫通孔の径の大きなもの）も使用できる。
【０１０３】
このように座金Ｄ上に接触載置され、かつナットＣを貫通する貫通孔５１を有した支持板５０は、ナットＣと座金Ｄが一体となったものに有効に使用できるし、平板状のものによれば、屋根上取付具Ａの高さ位置を低くできるので、鍔片１３の傾斜が急なもの、あるいはボルト体Ｂの軸部Ｂ１が短いものでも、鍔片１３の先端部１３ｂをボルト体Ｂに挟着させることができる。
【０１０４】
また、図１４に示したものでは、スペーサー部材Ｓが支持板５０よりなり、その支持板５０が座金ＤとナットＣに挟まれた状態で支持されている。また、この支持板５０は上面に鍔片１３の折曲基部１３ａが当接されて屋根上取付具Ａを支持している。
【０１０５】
このスペーサー部材Ｓは、ボルト体ＢとナットＣを強固に螺着することで、両者に強固に挟まれて固定されるので、スペーサー部材Ｓが回転することを阻止できる。また、支持板５０がナットＣの下に配され、屋根上取付具Ａの鍔片１３の折曲基部１３ａが、下方に配された支持板５０に当接する構成となっているため、鍔片１３の傾斜が急なもの、あるいはボルト体Ｂの軸部Ｂ１が短いものでも、鍔片１３の先端部１３ｂをボルト体Ｂに挟着させることができる。
【０１０６】
以上に説明した種々の実施形態では、折板屋根３０の頂部３１ａとナットＣとの間に防水用の座金Ｄを配設したものを示したが、第１〜第４の実施形態については、防水用の座金Ｄの代わりに防水パッキンを配設した折板屋根についても適用が可能である。
【０１０７】
また、以上の種々の実施形態のうち、ボルト体Ｂを貫通させる貫通孔５１を有した例（図９および図１１（ｃ）参照）については、貫通孔５１に雌ネジ（ネジ溝）を形成させてもよい。その場合、台座の座板および支持板が矩形であれば、螺着しようとすると折板屋根３０の頂部３１ａ上での位置合わせができなくなるおそれがあるため、円形に形成することが望ましい。
【０１０８】
また、以上の実施形態では、屋根上取付具Ａを隣接する両屋根材の重合部３０ａに配した例を示したが、重合部が形成されていない山部の頂部に屋根上取付具Ａを取り付けてもよい。
【０１０９】
さらに、以上の実施形態では、山部３１、谷部３２の方向に沿って両脚片１２が配列されるように屋根上取付具Ａを配した例を示したが、波の方向に沿って両脚片１２が配列されるように屋根上取付具Ａを配してもよい。これら２種の方向に配することが望ましいが、それら以外のどのような方向に配してもよい。
【０１１０】
また、上記屋根上取付具は、平板形（波形を形成していない）屋根に取り付けることも可能である。
【０１１１】
以上には、スペーサー部材Ｓとして、折板屋根３０の頂部３１ａに載置される中空台座４０で構成されるもの（第１、第２の実施形態）、ナットＣに載置されるもの（第３、第４の実施形態）、および座金Ｄに載置されるもの（第５の実施形態）を示したが、頂部３１ａとナットＣの両方に載せ置くスペーサー部材Ｓ（図８参照）のように、複数の部材によって支持される形態であってもよい。
【０１１２】
ついで、図１５を参照しながら、本発明に係る屋根上取付具のさらに他の実施形態について説明する。図１５（ａ）、（ｂ）は、屋根上取付具の施工状態を示す概略正面図である。
【０１１３】
この屋根上取付具Ａは、一対の挟持部材１０を開閉自在に支点連結して挟持具１を形成し、挟持具１の作用点とされる一対の鍔片１３を相互近接させ固定して、折板屋根３０の頂部３１ａより突出したボルト体Ｂに挟着させる構造としたものであって、鍔片１３と、折板屋根３０の頂部３１ａとの間に、ボルト体Ｂが上方に貫通する構造としたスペーサー部材Ｓが介装され、屋根上取付具Ａがスペーサー部材Ｓの上面に載置されて取り付けられる構造となっている。
【０１１４】
具体的には、この屋根上取付具Ａは、上記の実施形態のものとちがって、力点である操作片１７が支点の上方にあり、上記の実施形態と同様に、交差状に連結された支点の下方に脚片１２と鍔片１３とが延びている。そして、操作片１７を緊締ボルト２５、ナット２６等で締め付けることで、鍔片１３をボルト体Ｂに挟着させることができる。こうして取り付けた屋根上取付具Ａの操作片１７に、各種機器や部材類（不図示）を載置することができる。
【０１１５】
なお、本発明の特徴部分であるスペーサー部材Ｓおよび鍔片１３については、上記の実施形態と同一の構造であるため、図１と同一の符号を付して、その詳細構造および効果についての説明は省略する。本実施形態においては、スペーサー部材Ｓとして中空台座４０を示したが、他の形状のものでもよいことはいうまでもない。
【符号の説明】
【０１１６】
Ａ      屋根上取付具
１      挟持具
１０      挟持部材
１１      上板
１１ａ      基端部（基端）
１１ｂ      先端部（先端）
１１ｃ      段差部
１１ｄ      切り溝
１１ｅ      ボルト貫通孔
１１ｆ      押さえ爪
１２      脚片
１３      鍔片
１３ａ      折曲基部
１３ｂ      先端部
１３ｃ      凹所
１３ｄ      切り起こし片
１３ｅ      リブ
１５      間隙
２１      挟持具締付ボルト
２２      締付ナット
２３      ボルト止め
３０      折板屋根（波形屋根）
３０ａ      重合部
３０ｂ      ボルト孔
３１      山部
３１ａ      頂部
３２      谷部
Ｂ      ボルト体
Ｂ１      軸部
Ｃ      ナット
Ｄ      座金
Ｓ      スペーサー部材
４０      中空台座
４１      座板
４２      脚部
４３      貫通孔
４４      取付具回り止め片
４５      スペーサー部材回り止め片
４７      台輪
４８      中空部
５０      支持板
５１      貫通孔
５２      ナット収容凹所
５３      突出部
５４      下段部
５５      取付具回り止め片
５６      スペーサー部材回り止め片
５７      ナット嵌合凹所
５８      下方突出部
５９      ナット嵌合孔
【図１】
0005520546.tif 000002
【図２】
0005520546.tif 000003
【図３】
0005520546.tif 000004
【図４】
0005520546.tif 000005
【図５】
0005520546.tif 000006
【図６】
0005520546.tif 000007
【図７】
0005520546.tif 000008
【図８】
0005520546.tif 000009
【図９】
0005520546.tif 000010
【図１０】
0005520546.tif 000011
【図１１】
0005520546.tif 000012
【図１２】
0005520546.tif 000013
【図１３】
0005520546.tif 000014
【図１４】
0005520546.tif 000015
【図１５】
0005520546.tif 000016